(57)【特許請求の範囲】
【請求項１】
装置を搭載する基板を備えた設置器具において、
前記基板に、
前記装置の上下方向の移動を規制するリアホルダと、
前記装置の左右方向の移動を規制するフロントガイドと、
回動可能に設けられ、前記装置の前後方向の移動を規制するドッキングポストが設けられたレバー部材と、
前記レバー部材の外側に、回動可能に設けられたサイドフットガードと、
前記フロントガイドの前面側に設けられたフロントフットガードと、を設け、
前記装置の底板に、
前記ドッキングポストを挿抜可能に嵌合する嵌合穴を有するサイドプレートを設け、
前記フロントフットガードを取外し、前記レバー部材および前記サイドフットガードを外側に回動させた状態で、前記基板上に、前記装置を後面側から挿入し、前記レバー部材を内側に回動させて前記ドッキングポストを前記サイドプレートの嵌合穴に挿入して嵌合させ、前記サイドフットガードを設置位置に回動させて前記レバー部材の回動を規制し、前記サイドフットガードの前端部を前記フロントフットガードに挿入した状態で、前記フロントフットガードをノブで固定することで、前記基板に前記装置を固定することを特徴とする設置器具。
【請求項２】
請求項１に記載の設置器具において、
前記装置の底板に、
前記リアホルダの切欠部に嵌合するリアポストと、
前記フロントガイドの嵌合溝に嵌合するフロントプレートと、を設けたことを特徴とする設置器具。
【請求項３】
請求項１または請求項２に記載の設置器具において、
前記基板に、前記装置の底板に設けられたキャスタの移動を案内する挿入ガイドを設けたことを特徴とする設置器具。
【請求項４】
請求項１ないし請求項３のいずれか一項に記載の設置器具において、
前記装置に、扉を設け、
前記ノブにより固定される前記フロントフットガードは、前記扉を開放した状態でなければ固定または取外しが行えないことを特徴とする設置器具。
【発明の詳細な説明】
【技術分野】
【０００１】
本発明は、現金自動預払機や自動販売機等の装置を設置するときに用いる設置器具に関する。
【背景技術】
【０００２】
従来の自動販売機は、コンクリート面に設けた穴に羽根型アンカーボルトをモルタルで埋込み、コンクリート面上に突出したアンカーボルトに、平板ブロックおよび固定金具をナットで共締めして、その固定金具で自動販売機の底板に設けた支脚を固定している（例えば、特許文献１参照。）。
【先行技術文献】
【特許文献】
【０００３】
【特許文献１】特開２００６−２２８１６６号公報（段落０００６−０００７、第１図）
【発明の概要】
【発明が解決しようとする課題】
【０００４】
しかしながら、上述した従来の技術においては、自動販売機等の装置をコンクリート面に埋込んだアンカーボルトを用いて固定しているため、絨毯張り等の柔らかい床面やアンカーボルトを埋込むことができない場所に設置することができないという問題がある。
本発明は、上記の問題点を解決するためになされたもので、柔らかい床面やアンカーボルトを埋込むことができない場所に、装置を設置する手段を提供することを目的とする。
【課題を解決するための手段】
【０００５】
本発明は、上記課題を解決するために、装置を搭載する基板を備えた設置器具において、前記基板に、前記装置の上下方向の移動を規制するリアホルダと、前記装置の左右方向の移動を規制するフロントガイドと、回動可能に設けられ、前記装置の前後方向の移動を規制するドッキングポストが設けられたレバー部材と、前記レバー部材の外側に、回動可能に設けられたサイドフットガードと、前記フロントガイドの前面側に設けられたフロントフットガードと、を設け、前記装置の底板に、前記ドッキングポストを挿抜可能に嵌合する嵌合穴を有するサイドプレートを設け、前記フロントフットガードを取外し、前記レバー部材および前記サイドフットガードを外側に回動させた状態で、前記基板上に、前記装置を後面側から挿入し、前記レバー部材を内側に回動させて前記ドッキングポストを前記サイドプレートの嵌合穴に挿入して嵌合させ、前記サイドフットガードを設置位置に回動させて前記レバー部材の回動を規制し、前記サイドフットガードの前端部を前記フロントフットガードに挿入した状態で、前記フロントフットガードをノブで固定することで、前記基板に前記装置を固定することを特徴とする。
【発明の効果】
【０００６】
これにより、本発明は、柔らかい床面やアンカーボルトを埋込むことができない場所に、装置を容易に設置することができ、装置の設置場所の拡大を図ることができるという効果が得られる。
【図面の簡単な説明】
【０００７】
【図１】実施例１の現金自動預払機の設置状態の外観を示す説明図
【図２】実施例１の現金自動預払機の下面を示す説明図
【図３】図２の矢印Ａ方向から見た部分拡大図
【図４】図２の矢印Ｂ方向から見たサイドプレートの部分拡大図
【図５】実施例１の設置器具の上面側から見た外観を示す説明図
【図６】実施例１の設置器具の上面を示す説明図
【図７】実施例１の設置器具の前面を示す説明図
【図８】実施例１の設置器具の作用を示す説明図
【図９】実施例１のフロントフットガードの取付状態を示す説明図
【図１０】実施例２の支脚押えの外観を示す説明図
【発明を実施するための形態】
【０００８】
以下に、図面を参照して本発明による設置器具の実施例について説明する。
【実施例１】
【０００９】
以下に、図１ないし図９を用いて本実施例の設置器具について説明する。
なお、図６ないし図８は、フロントフットガード１５を取外した状態で図示したものであり、図７の右側は、右側のサイドフットガード１４の固定部１４ｂとドッキングレバー１９の取付座１９ａの間における断面で示した部分断面図である。
図１において、１は設置対象の装置である現金自動預払機であり、コンビニエンスストア等の店舗の床面や通路等に設置器具１１（詳細は後述する。）上に搭載されて設置されており、顧客との間での現金を用いた取引処理を自動で行う機能を有している。
【００１０】
また、現金自動預払機１を利用する顧客がカードの挿入等の操作を行う顧客操作部２が設けられた前面側には、施錠、解錠が可能な前扉３が設けられ、その底板１ａの下面には、図２に示すように、ネジ軸４ａに螺合するナット４ｂ等により昇降可能に構成され（図３参照）、現金自動預払機１の姿勢を調整する支脚５ａ〜５ｄが４隅に配置され、それぞれの支脚５の中央側には現金自動預払機１の移動に用いるキャスタ６が４箇所に配置されている。
【００１１】
更に、現金自動預払機１の底板１ａの後面側（図２において下側）のキャスタ６の後側には、鋼材等でボビン状に形成されたリアポスト７（図３参照）が、左右２箇所に設けられ、前面側（図２において上側）のキャスタ６の内側には、鋼板等をＬ字状に曲折して形成されたフロントプレート８（図３参照）が１箇所に設けられている。
更に、現金自動預払機１の底板１ａの左右の側面側には、前面側の支脚５ａ、５ｂの後面側でキャスタ６の外側に、鋼板等をＬ字状に曲折して形成されたサイドプレート９（図３参照）が左右２箇所に設けられ、その取付部からＬ字状に立上った立設部には、図４に示すように、矩形の穴として形成された挿入穴９ａが設けられている。
【００１２】
図５ないし図７において、１２は設置器具１１の基板であり、鋼板等で矩形に形成された平板部材であって、現金自動預払機１を設置するときに、床面上に載置され、その上面１２ａ上をキャスタ６が移動する。
１３はリアフットガードであり、鋼板等を曲折して形成された「コ」の字状断面形状を有するカバー部材であって、ネジ等により基板１２上の後面側に固定される。
【００１３】
１４は左右のサイドフットガードであり、それぞれ鋼板等を曲折して形成された「コ」の字状断面形状を有するカバー部材であって、それぞれリアフットガード１３との接合部に設けられた回転支点１４ａを中心に外側に回動可能（図８参照）に、基板１２上の左右の側面側に配置され、その前端部には長穴が設けられた固定部１４ｂが設けられており、基板１２上にネジ等で固定された固定台１４ｃのネジ穴１４ｄに螺合するノブ１４ｅで図６に示す設置位置に固定される。
【００１４】
１５はフロントフットガードであり、図５に示すように、鋼板等を曲折して形成された両側端部が閉鎖された円弧状断面形状を有するカバー部材であって、後述するフリントガイド１８の台座１８ａの上板に形成されたネジ穴１５ａ（図６参照）に螺合するノブ１５ｂで、左右のサイドフットガード１４の前面側の固定部１４ｂを固定したノブ１４ｅを覆う位置に固定される。
このように、本願の設置器具１１においては、フロントフットガード１５、左右のサイドフットガード１４、リアフットガード１３により、現金自動預払機１の底板１ａの下面と基板１２の上面１２ａとの間の空間の周囲、つまり前後左右が覆われている。
【００１５】
１６は挿入ガイドであり、鋼板等を曲折して形成されたガイド部材であって、基板１２の中央部に基板１２の側面１２ｂに沿ってネジ等で固定されており、現金自動預払機１を後面側から基板１２上に挿入するときに、その側面１６ａがキャスタ６の移動を案内する機能を有している。
１７はリアホルダであり、鋼板等を曲折して前面側が解放された直方体状に形成されており、設置時における現金自動預払機１の左右のリアポスト７に対応する位置、つまり基板１２の後面側にネジ等で固定されており、その上板の前端部を扇状に切欠いて形成された係合部１７ａに、挿入ガイド１６に案内されて挿入された現金自動預払機１のボビン状のリアポスト７の小径部である係合軸７ａ（図３参照）が係合し、設置後の現金自動預払機１の後面側の上下方向の移動を規制する。
【００１６】
１８はフロントガイドであり、挿入ガイド１６の前面側にネジ等で固定された台座１８ａの上板のフロントプレート８に対応する位置に、その前端部を幅広と幅狭の段付状に切欠いて形成された案内溝であって、その幅狭部である嵌合溝１８ｂに、挿入ガイド１６に案内されて挿入された現金自動預払機１のＬ字状のフロントプレート８の立設部（図３参照）が嵌合し、設置後の現金自動預払機１の左右方向の移動を規制する。
【００１７】
１９はドッキングレバーであり、鋼板等を「コ」の字状に曲折して形成されたレバー部材であって、取付座１９ａに設けられた回転支点１９ｂを中心に外側に回動可能（図８参照）に取付られて基板１２上の左右のサイドフットガード１４の内側に配置されており、図６に示す設置位置に位置するときに、長手方向の中央部に設けられた先端を円錐形状に形成した円柱部材であるドッキングポスト１９ｃが、現金自動預払機１のＬ字状のサイドトプレート８の立設部に形成された挿入穴９ａ（図４参照）に挿入され、設置後の現金自動預払機１の前面側の上下方向の移動を規制すると共に前後方向の移動を規制する。
【００１８】
２１は把手であり、鋼製のパイプ等を「コ」の字状に曲折して形成されており、設置器具１１を持運ぶときに用いられる。
上記の構成の設置器具１１を用いて、現金自動預払機１を広場や通路に設置する場合は、設置器具１１を把手２１により持運んで所定の設置場所の床面等に載置し、ノブ１５ｂを緩めてフロントフットガード１５を取外し、左右のサイドフットガード１４のノブ１４ｅを緩めて回転支点１４ａを中心に前端部を外側に回動させ、ドッキングレバー１９の前端部を押し、回転支点１９ｂを中心に外側に回動させて図８に示す設置準備位置に位置させる。
【００１９】
そして、４つの支脚５の接地部を上方に上げた状態の現金自動預払機１をキャスタ６によって設置場所まで移動させ、その現金自動預払機１を後面側からキャスタ６を挿入ガイド１６に案内させながら設置器具１１の基板１２上に挿入し、リアポスト７の係合軸７ａがリアホルダ１７の係合部１７ａに係合するまで押込む。このとき、前面側のフロントプレート８がフロントガイド１８の嵌合溝１８ｂに嵌合する。
これにより、現金自動預払機１の後面側の上下方向の移動および左右方向の移動が規制される。
【００２０】
次いで、左右のドッキングレバー１９の前端部を押して内側に回動させ、サイドプレート９の挿入穴９ａに、ドッキングレバー１９のドッキングポスト１９ｃを挿入し、現金自動預払機１の前扉３を解放して左右のサイドフットガード１４を内側に回動させてノブ１４ｅにより固定台１４ｃに固定し、図６に示す設置位置に位置させる。このとき、４つの支脚５は上げたままの状態になっている。
これにより、ドッキングレバー１９の回動が規制され、現金自動預払機１の前面側の上下方向の移動および前後方向の移動が規制される。
【００２１】
そして、左右のサイドフットガード１４の前端部のノブ１４ｅ等をフロントフットガード１５内に挿入した状態で、フロントフットガード１５をノブ１５ｂで固定し、前扉３を施錠する。このとき、ノブ１５ｂの上端は、図９に示すように、前扉３の下方に位置し、前扉３を解放しないと取外すことができない状態になり、いたずら等で取外されることが防止される。
なお、フロントフットガード１５を鍵で施錠して取外されないようにしてもよい。
【００２２】
このように、本実施例の設置器具１１は、床面等に載置した板状の基板１２上にリアホルダ１７、フロントガイド１８、ドッキングレバー１９を用いて現金自動預払機１等の自動機を設置するので、自動機の転倒等を防止することができると共に、柔らかい床面やアンカーボルトを埋込むことができない場所に、装置を容易に設置することができ、自動機の設置場所の拡大を図ることができる。
【００２３】
上記のようにして設置した現金自動預払機１を撤去する場合は、現金自動預払機１の前扉３を解錠して解放し、ノブ１５ｂを緩めてフロントフットガード１５を取外し、左右のサイドフットガード１４のノブ１４ｅを緩めて前端部を外側に回動させ、ドッキングレバー１９の前端部を押して外側に回動させ、サイドプレート９の挿入穴９ａからドッキングレバー１９のドッキングポスト１９ｃを抜取って前後方向の規制を解除し、現金自動預払機１を挿入ガイド１６にキャスタ６を案内させながら基板１２上から前面側に引出し、前扉３を施錠する。
【００２４】
そして、左右のドッキングレバー１９の前端部を内側に回動させ、左右のサイドフットガード１４を内側に回動させてノブ１４ｅにより固定台１４ｃに固定し、フロントフットガード１５をノブ１５ｂで固定し、現金自動預払機１と共に設置器具１１を把手２１により移動させて所定の撤去場所に撤去する。
このように、本実施例の設置器具１１を用いた現金自動預払機１等の自動機の設置方法では、自動機の前扉３を解錠しなければノブ１５ｂを緩めてフロントフットガード１５を取外すことができず、フロントフットガード１５を取外した後でなければ、サイドフットガード１４やドッキングレバー１９を回動させることができないので、他人による自動機の移動が困難になり、自動機の盗難を防止することができる。
【００２５】
また、本実施例の自動機の設置方法では、工具を用いずに設置器具１１上に自動機を容易に搭載し、容易に撤去することができるので、設置場所の状況に応じて自動機の設置場所を容易に変更することができる。
更に、本実施例の自動機の設置方法では、例えば、災害等による緊急事態の発生時に避難路や避難場所に設置した自動機を工具を用いずに迅速に撤去できるので、避難誘導等における安全性を容易に確保することができる。
【実施例２】
【００２６】
以下に、図１０を用いて本実施例の設置器具について説明する。なお上記実施例１と同様の部分は、同一の符号を付してその説明を省略する。
本実施例の設置器具１１においては、図１０に示すように、現金自動預払機１の底板１ａの前面側に配置された２つの支脚５ａ、５ｂの接地部を押えて、現金自動預払機１の前面側の上下方向の移動および前後方向の移動を規制する支脚押え２５が設けられている。
この支脚押え２５は、鋼板等をクランク状に曲折して形成され、その上側の板である押え部２５ａには、折曲端の反対側の端部を、支脚５のネジ軸４ａに嵌合するように半長穴状に切欠いて形成された切欠部２５ｂが設けられており、押え部２５ａの方向を斜めにサイドフットガード１４の方向に向けて、下側の板である取付部２５ｃをボルト２６により締結して基板１２上に固定される。
【００２７】
なお、図１０は右側の支脚５ａを図示しているが、左側の支脚５ｂについても同様である。この場合に支脚押え２５は勝手違いに固定される。
また、本実施例では、実施例１で説明した左右のドッキングレバー１９は省略されている。
このような支脚押え２５を用いて、現金自動預払機１を設置器具１１に搭載する場合は、支脚押え２５を取外した状態の設置器具１１を把手２１により持運んで所定の設置場所の床面上に載置し、ノブ１５ｂを緩めてフロントフットガード１５を取外し、左右のサイドフットガード１４のノブ１４ｅを緩めて回転支点１４ａを中心に前端部を外側に回動させて設置準備位置に位置させる。
【００２８】
そして、４つの支脚５の接地部を上方に上げた状態の現金自動預払機１をキャスタ６によって設置場所まで移動させ、上記実施例１と同様に、現金自動預払機１を後面側から基板１２上に挿入し、リアポスト７の係合軸７ａがリアホルダ１７の係合部１７ａに係合するまで押込み、フロントプレート８をフロントガイド１８の嵌合溝１８ｂに嵌合させる。
これにより、現金自動預払機１の後面側の上下方向の移動および左右方向の移動が規制される。
【００２９】
次いで、現金自動預払機１の前扉３を解放し、前面側の左右の支脚５ａ、５ｂを降ろしてそれぞれの接地部を基板１２の上面１２ａに接地させ、支脚押え２５の切欠部２５ｂを支脚５ａ、５ｂのそれぞれのネジ軸４ａに嵌合させた状態で、工具によりボルト２６を締付けて支脚押え２５を基板１２上に固定する。
これにより、前面側の支脚５ａ、５ｂが固定され、現金自動預払機１の前面側の上下方向の移動および前後方向の移動が規制される。
【００３０】
前面側の支脚５ａ、５ｂの固定後に、左右のサイドフットガード１４を内側に回動させてノブ１４ｅにより固定台１４ｃに固定し、設置位置に位置させる。このとき、後面側の２つの支脚５ｃ、５ｄは上げたままの状態になっている。
そして、左右のサイドフットガード１４の前端部のノブ１４ｅ等をフロントフットガード１５内に挿入した状態で、フロントフットガード１５をノブ１５ｂで固定し、前扉３を施錠する。このとき、ノブ１５ｂの上端は、上記実施例１と同様に、前扉３の下方に位置し、前扉３を解放しないと取外すことができない状態になっている。
【００３１】
このように、本実施例の設置器具１１は、床面等に載置した板状の基板１２上にリアホルダ１７、フロントガイド１８、支脚押え２５を用いて現金自動預払機１等の自動機を設置するので、自動機の転倒等を防止することができると共に、柔らかい床面やアンカーボルトを埋込むことができない場所に、装置を容易に設置することができ、自動機の設置場所の拡大を図ることができる。
【００３２】
上記のようにして設置した現金自動預払機１を撤去する場合は、現金自動預払機１の前扉３を解錠して解放し、ノブ１５ｂを緩めてフロントフットガード１５を取外し、左右のサイドフットガード１４のノブ１４ｅを緩めて前端部を外側に回動させ、工具によりボルト２６を緩めて支脚押え２５を基板１２上から取外して前後方向の規制を解除し、現金自動預払機１を挿入ガイド１６にキャスタ６を案内させながら基板１２上から前面側に引出し、前扉３を施錠する。
そして、左右のサイドフットガード１４を内側に回動させてノブ１４ｅにより固定台１４ｃに固定して設置位置に位置させ、現金自動預払機１、支脚押え２５と共に設置器具１１を把手２１により移動させて所定の撤去場所に撤去する。
【００３３】
このように、本実施例の設置器具１１を用いた現金自動預払機１等の自動機の設置方法では、自動機の前扉３を解錠しなければノブ１５ｂを緩めてフロントフットガード１５を取外すことができず、フロントフットガード１５を取外した後でなければ、サイドフットガード１４の回動や支脚押え２５の取外しを行うことができないので、他人による自動機の移動が困難になり、自動機の盗難を防止することができる。
また、本実施例の自動機の設置方法では、設置器具１１上に自動機を容易に搭載し、容易に撤去することができるので、設置場所の状況に応じて自動機の設置場所を容易に変更することができる。
【符号の説明】
【００３４】
１    現金自動預払機
１ａ  底板
２    顧客操作部
３    前扉
４ａ  ネジ軸
４ｂ  ナット
５、５ａ〜５ｄ  支脚
６    キャスタ
７    リアポスト
７ａ  係合軸
８    フロントプレート
９    サイドプレート
９ａ  挿入穴
１１  設置器具
１２  基板
１２ａ  上面
１２ｂ、１６ａ  側面
１３  リアフットガード
１４  サイドフットガード
１４ａ、１９ｂ  回転支点
１４ｂ  固定部
１４ｃ  固定台
１４ｄ、１５ａ  ネジ穴
１４ｅ、１５ｂ  ノブ
１５  フロントフットガード
１６  挿入ガイド
１７  リアホルダ
１７ａ  係合部
１８  フロントガイド
１８ａ  台座
１８ｂ  嵌合溝
１９  ドッキングレバー
１９ａ  取付座
１９ｃ  ドッキングポスト
２１  把手
２５  支脚押え
２５ａ  押え部
２５ｂ  切欠部
２５ｃ  取付部
２６  ボルト
【図１】
0006524634.tif 000002
【図２】
0006524634.tif 000003
【図３】
0006524634.tif 000004
【図４】
0006524634.tif 000005
【図５】
0006524634.tif 000006
【図６】
0006524634.tif 000007
【図７】
0006524634.tif 000008
【図８】
0006524634.tif 000009
【図９】
0006524634.tif 000010
【図１０】
0006524634.tif 000011